(57)【要約】【課題】飲料水を備蓄し得るプランターを提供する。【解決手段】本発明は、飲料水を貯留し得る貯水部２０を有することを特徴とする。本発明によれば、飲料水を貯留し得る貯水部２０を有するため、地震等の自然災害の発生に備えて飲料水を備蓄しておくことができる。また、飲料水を備蓄するためのスペースを別途設けなくても、これまでプランターを設置していたスペースに飲料水を備蓄できるという利点がある。【選択図】図１
2008199983.tif 000002
【特許請求の範囲】
【請求項１】
飲料水を貯留し得る貯水部を有することを特徴とするプランター。
【請求項２】
前記貯水部が、給排水口を有する容器からなり、プランター本体から取り外し可能であることを特徴とする請求項１に記載のプランター。
【請求項３】
前記プランター本体が、外側容器と、該外側容器内に取り外し可能に設けられる内側容器とを有して構成され、前記貯水部が、前記外側容器と排水口を有しない前記内側容器との間に設けられていることを特徴とする請求項２に記載のプランター。
【請求項４】
前記貯水部が、プランター本体の周壁内部に形成される第１空洞部と、前記プランター本体の底壁内部に形成され、前記第１空洞部に連通する第２空洞部とから構成され、前記プランター本体には、前記第１空洞部又は前記第２空洞部に連通する給排水口が設けられていることを特徴とする請求項１に記載のプランター。
【発明の詳細な説明】
【技術分野】
【０００１】
本発明は、植物の栽培容器として又は該栽培容器の収容容器として用いられるプランターに関するものである。
【背景技術】
【０００２】
従来、貯水部を備えたプランターが知られている（例えば、下記特許文献１参照）。しかしながら、従来の貯水式プランターでは、貯留される水が植物への灌水を目的としたものである。したがって、貯水部に貯留された水は、衛生上、飲料水として使用できるものではなかった。
【０００３】
ところで、地震等の自然災害の発生に備えて食料や飲料水を備蓄しておくことが奨励されている。しかしながら、食料や飲料水を備蓄するには、相当のスペースが必要であるため、多くの人々が働くオフィスなどでは、それらを備蓄しておくことが困難であった。
【０００４】
一方、商業ビルやデパートなどの施設では、多くの観葉植物が設置されている。ここで、観葉植物の設置には、プランターが利用されているが、かかるプランターは、植物の生育のために利用されているだけである。
【０００５】
【特許文献１】特開平８−３７９６４号公報
【発明の開示】
【発明が解決しようとする課題】
【０００６】
本発明が解決しようとする課題は、飲料水を備蓄し得るプランターを提供することである。
【課題を解決するための手段】
【０００７】
本発明は、上記課題を解決するため、以下のプランターを提供する。
１．飲料水を貯留し得る貯水部を有することを特徴とするプランター。
２．前記貯水部が、給排水口を有する容器からなり、プランター本体から取り外し可能であることを特徴とする前記１に記載のプランター。
３．前記プランター本体が、外側容器と、該外側容器内に取り外し可能に設けられる内側容器とを有して構成され、前記貯水部が、前記外側容器と排水口を有しない前記内側容器との間に設けられていることを特徴とする前記２に記載のプランター。
４．前記貯水部が、プランター本体の周壁内部に形成される第１空洞部と、前記プランター本体の底壁内部に形成され、前記第１空洞部に連通する第２空洞部とから構成され、前記プランター本体には、前記第１空洞部又は前記第２空洞部に連通する給排水口が設けられていることを特徴とする前記１に記載のプランター。
【発明の効果】
【０００８】
前記１に記載の本発明によれば、飲料水を貯留し得る貯水部を有するため、地震等の自然災害の発生に備えて飲料水を備蓄しておくことが可能になる。また、飲料水を備蓄するためのスペースを別途設けなくても、これまでプランターを設置していたスペースに飲料水を備蓄できるという利点がある。
前記２に記載の本発明によれば、貯水部が、給排水口を有する容器からなり、プランター本体から取り外し可能であるため、災害発生時などには、貯水部をプランター本体から取り外して、利用することが可能になる。また、備蓄する飲料水の交換も容易である。
前記３に記載の本発明によれば、貯水部が、外側容器と排水口を有しない内側容器との間に設けられているため、植物に供給された水などが貯水部の収容スペースに浸入することを防ぐことができ、貯水部を衛生上良好な状態で保持することが可能になる。
前記４に記載の本発明によれば、簡素な構造で飲料水を貯留することが可能になる。
【発明を実施するための最良の形態】
【０００９】
本発明に係るプランターは、植物の栽培容器として又は該栽培容器の収容容器として用いられる。以下、本発明の実施の形態を図面に示した実施例に従って説明する。
【実施例１】
【００１０】
図１は、実施例１に係るプランターを示す断面図である。この図に示したように、本実施例に係るプランターは、プランター本体１０及び貯水部２０を有して構成される。
【００１１】
プランター本体１０は、外側容器１１と内側容器１２とを有して構成される。外側容器１１は、周壁１１ａと、該周壁１１ａの一端を閉塞する底壁１１ｂとを有して構成される。内側容器１２は、外側容器１１の周壁１１ａより高さが低い周壁１２ａと、該周壁１２ａの一端を閉塞する底壁１２ｂとを有して構成され、周壁１２ａの他端には、外側に張り出した縁１２ｃが設けられている。
【００１２】
内側容器１２は、縁１２ｃが外側容器１１の他端に支持された形で、外側容器１１内に取り外し可能に設けられる。内側容器１２の高さは、外側容器１１の高さより低いため、内側容器１２が外側容器１１内に収容されることによって、外側容器１１の底壁１１ｂと内側容器１２の底壁１２ｂとの間に、後述する貯水部２０が収容される空間３０が形成される。ここで、内側容器１２の中空部１２ｄには、植物が植え付けられた鉢やポットなどの栽培容器４０が配置されるが、内側容器１２は、排水口を有しないため、植物に供給された水や栽培容器４０から排出された排水が上記空間３０に浸入することを防ぐことができる。
【００１３】
貯水部２０は、給排水口２１を有する容器から構成される。本実施例では、貯水部２０を形成する容器に穿設された１つの孔部に給水口としての機能と排水口としての機能を併有させているが、該容器に２つの孔部を設けて、一方の孔部を給水口として機能させ、他方の孔部を排水口として機能させてもよい。貯水部２０内には、給排水口２１を通じて飲料水が充填される。給排水口２１は、飲料水の充填後、キャップ２２により閉塞される。
【００１４】
貯水部２０は、外側容器１１の底壁１１ｂと内側容器１２の底壁１２ｂとの間に形成された空間３０に、取り外し可能に設けられる。
【００１５】
上記のように構成されるプランターによれば、飲料水を貯留し得る貯水部２０を有するため、地震等の自然災害の発生に備えて飲料水を備蓄しておくことができる。また、飲料水を備蓄するためのスペースを別途設けなくても、これまでプランターを設置していたスペースに飲料水を備蓄できるという利点がある。また、貯水部２０が、給排水口２１を有する容器からなり、プランター本体１０から取り外し可能であるため、災害発生時などには、貯水部２０をプランター本体１０から取り外して、利用することができる。また、備蓄する飲料水を交換するときには、プランター本体１０から貯水部２０を取り出して、新たな飲料水が充填された貯水部と交換すればよいので、交換作業が容易である。さらに、植物に供給された水などが貯水部２０の収容スペース（空間３０）に浸入することを防ぐことができるので、貯水部２０を衛生上良好な状態で保持することができる。
【実施例２】
【００１６】
図２は、実施例２に係るプランターを示す断面図である。この図に示したように、本実施例に係るプランターは、貯水部２０が、プランター本体１０の周壁１０ａ内部に形成される第１空洞部２０ａと、プランター本体１０の底壁１０ｂ内部に形成され、第１空洞部２０ａに連通する第２空洞部２０ｂとから構成される。プランター本体１０には、第２空洞部２０ｂに連通する給排水口２１が設けられている。なお、給排水口２１は、第１空洞部２０ａに連通するように設けることもできる。給排水口２１は、貯水部２０に飲料水を充填した後、キャップ２２により閉塞される。
【００１７】
上記のように構成されるプランターによれば、簡素な構造で飲料水を貯留することができる。
【図面の簡単な説明】
【００１８】
【図１】図１は、実施例１に係るプランターを示す断面図である。
【図２】図２は、実施例２に係るプランターを示す断面図である。
【符号の説明】
【００１９】
１０  プランター本体
１０ａ  周壁
１０ｂ  底壁
１１  外側容器
１１ａ  周壁
１１ｂ  底壁
１２  内側容器
１２ａ  周壁
１２ｂ  底壁
１２ｃ  縁
１２ｄ  中空部
２０  貯水部
２０ａ  第１空洞部
２０ｂ  第２空洞部
２１  給排水口
２２  キャップ
３０  空間
４０  栽培容器
【図１】
2008199983.tif 000003
【図２】
2008199983.tif 000004